(57)【要約】【課題】カラーリングの際には上半身（胴部）への汚れを防止し、カラーリング後は髪部の保温が可能な、カラーリング用ケープを提供することにある。【解決手段】使用者の頭部Ｈを通すための穴部４と、穴部４の外側に形成された保護部を備えたカラーリング用ケープ１において、穴部４を頭部Ｈから首に通し使用者に装着し、カラーリング剤（クリームＣＲ）を前記使用者の髪に塗布した後、穴部４を首から頭部Ｈに持ち上げ、さらに前記保護部をカラーリング剤の付着した髪ＨＲに貼着して覆いカラーリング剤を保温できる。【選択図】図２
2012179351.tif 000002
【特許請求の範囲】
【請求項１】
使用者の頭部を通すための穴部と、該穴部の外側に形成された保護部とを備え、カラーリング剤を髪に塗布するときに用いるカラーリング用ケープにおいて、
前記穴部を前記頭部から首に通し前記使用者に装着し、前記カラーリング剤が使用者の胴部に付着するのを防ぎ、及び／または、前記穴部を前記頭部に装着して前記保護部を前記カラーリング剤の付着した前記髪に貼着して前記頭部を覆い前記カラーリング剤を保温することを特徴とする、カラーリング用ケープ。
【請求項２】
前記カラーリング用ケープの、前記穴部を前記首から前記頭部に持ち上げて髪の毛の生え際に沿って保持することを特徴とする、請求項１に記載のカラーリング用ケープ。
【請求項３】
前記穴部を略中央に備え、該穴部に向かって切れ込んだ凹部を前記保護部に少なくとも２つ備え、前記カラーリングの際に、前記使用者が両腕を持ち上げたとき、前記凹部が前記使用者の前記両腕近傍に配置されることを特徴とする、請求項１に記載のカラーリング用ケープ。
【請求項４】
前記保護部の先端につまみ部を備えることを特徴とする、請求項１に記載のカラーリング用ケープ。
【請求項５】
前記穴部が円状に形成され、該穴部の外縁に弾性部材を備えることを特徴とする、請求項１に記載のカラーリング用ケープ。
【請求項６】
前記保護部の先端近傍に粘着部材を備えることを特徴とする、請求項１に記載のカラーリング用ケープ。
【請求項７】
前記保護部が保温層に基材層を裏打ちして形成され、
前記保温層を前記カラーリング剤の付着した前記髪に貼着して前記頭部を覆いカラーリング剤を保温することを特徴とする、請求項１ないし６のいずれかに記載のカラーリング用ケープ。
【請求項８】
前記保温層がアルミ箔で形成されることを特徴とする、請求項７に記載のカラーリング用ケープ。
【請求項９】
前記基材層が不織布で形成されることを特徴とする、請求項７に記載のカラーリング用ケープ。
【請求項１０】
前記基材層がプラスチックシートで形成されることを特徴とする、請求項７に記載のカラーリング用ケープ。
【請求項１１】
前記保護部の先端に雄雌で一対となる掛止部を複数備え、
前記穴部を挟んで対向する位置にそれぞれ雄の掛止部と雌の掛止部を備えることを特徴とする、請求項１ないし１０のいずれかに記載のカラーリング用ケープ。
【請求項１２】
前記掛止部がメカニカルファスナーであることを特徴とする、請求項１１に記載のカラーリング用ケープ。
【請求項１３】
穴部を頭部から首に通し使用者に装着し、カラーリング剤を前記使用者の髪に塗布した後、前記穴部を前記首から前記頭部に持ち上げ、さらに保護部をカラーリング剤の付着した前記髪に貼着して覆うことでカラーリング剤を保温する、カラーリング用ケープの使用方法。
【発明の詳細な説明】
【技術分野】
【０００１】
本発明は、カラーリング剤の身体への汚れ防止のためのカバー及びカラーリング後の髪の毛の保温技術に関する。
【背景技術】
【０００２】
従来は、使い捨てケープを着用して髪の毛にカラーリングを行っていた。使い捨てケープは、カラーリングの際に、身体や衣服などを覆うことで、カラーリング剤等による汚れを防止するものである。カラーリング後には、髪につけたカラーリング剤が髪に定着することを促進するために、髪を保温する必要があるが、この保温専用の特別な用具がなく、シャワーキャップなどを代用品として使っていた。このため、カラーリングの際に、ケープとシャワーキャップという異なる２つの用品を用いなければならず、カラーリングに使用する用品の数が多くなってしまった。そこで、特許文献１に示すような、１つの用品で首への汚れを防止し、かつ、カラーリング後は髪の毛を覆うことが可能なキャップ状の使い捨て用品が開示されている。
【先行技術文献】
【特許文献】
【０００３】
【特許文献１】特開２００６−１６７３７２
【発明の概要】
【発明が解決しようとする課題】
【０００４】
しかし、特許文献１の構成では、首などへのカラーリング剤の飛散を防止することはできるが、身体や胸元や背中、肩等の上半身へのカラーリング剤の飛散を防止することはできず衣服などを汚してしまうという問題があった。
【０００５】
そこでこの発明の目的は、上記技術の問題点を解決することを課題とする。具体的には、カラーリングの際には上半身（胴部）への汚れを防止し、カラーリング後は髪部の保温が可能な、カラーリング用ケープを提供することにある。
【課題を解決するための手段】
【０００６】
本発明は、略花びら状のカラーリング用ケープであって、中心に穴部を設け、その穴部の周縁に沿ってゴムを備える。そして、まず頭を穴部に通し、穴部を首まで移動させ、カラーリングを行う際はケープとして使用し、その後は、ケープの端を持ち上げることで、首に装着した穴部を、ケープごと上方に移動させ、頭部の顔がケープ下部から出る位置まで引き上げる。そして、カラーリング用ケープを頭に密着するように貼りあわせてキャップとして機能させ、上記問題を解決する。
【０００７】
請求項１に記載の発明は、使用者の頭部を通すための穴部と、該穴部の外側に形成された保護部を備え、カラーリング剤を髪に塗布するときに用いるカラーリング用ケープにおいて、前記穴部を前記頭部から首に通し前記使用者に装着し、前記カラーリング剤が使用者の胴部に付着するのを防ぎ、及び／または、前記穴部を前記頭部に装着して前記保護部をカラーリング剤の付着した前記髪に貼着して前記頭部を覆いカラーリング剤を保温することを特徴とする。
【０００８】
請求項２に記載の発明は、前記カラーリング用ケープの、前記穴部を前記首から前記頭部に持ち上げて髪の毛の生え際に沿って保持することを特徴とする。
【０００９】
請求項３に記載の発明は、前記穴部を略中央に備え、該穴部に向かって切れ込んだ凹部を前記保護部に少なくとも２つ備え、前記カラーリングの際に、前記使用者が両腕を持ち上げたとき、前記凹部が前記使用者の前記両腕近傍に配置されることを特徴とする。
【００１０】
請求項４に記載の発明は、前記保護部の先端につまみ部を備えることを特徴とする。
【００１１】
請求項５に記載の発明は、前記穴部が円状に形成され、該穴部の外縁に弾性部材を備えることを特徴とする。
【００１２】
請求項６に記載の発明は、前記保護部の先端近傍に粘着部材を備えることを特徴とする。
【００１３】
請求項７に記載の発明は、請求項１ないし６のいずれかに記載のカラーリング用ケープにおいて、前記保護部が保温層に基材層を裏打ちして形成され、
前記保温層を前記カラーリング剤の付着した前記髪に貼着して前記頭部を覆いカラーリング剤を保温することを特徴とする。
【００１４】
請求項８に記載の発明は、請求項７に記載のカラーリング用ケープにおいて、前記保温層がアルミ箔で形成されることを特徴とする。
【００１５】
請求項９に記載の発明は、請求項７に記載のカラーリング用ケープにおいて、前記基材層が不織布で形成されることを特徴とする。
【００１６】
請求項１０に記載の発明は、請求項７に記載のカラーリング用ケープにおいて、前記基材層がプラスチックシートで形成されることを特徴とする。
【００１７】
請求項１１に記載の発明は、請求項１ないし１０のいずれかに記載のカラーリング用ケープにおいて、前記保護部の先端に雄雌で一対となる掛止部を複数備え、
前記穴部を挟んで対向する位置にそれぞれ雄の掛止部と雌の掛止部を備えることを特徴とする。
【００１８】
請求項１２に記載の発明は、請求項１１に記載のカラーリング用ケープにおいて、前記掛止部がメカニカルファスナーであることを特徴とする。
【００１９】
請求項１３に記載の発明は、穴部を頭部から首に通し使用者に装着し、カラーリング剤を前記使用者の髪に塗布した後、前記穴部を前記首から前記頭部に持ち上げ、さらに保護部をカラーリング剤の付着した前記髪に貼着して覆うことでカラーリング剤を保温する、カラーリング用ケープの使用方法である。
【発明の効果】
【００２０】
請求項１に記載の発明によれば、使用者の頭部を通すための穴部と、該穴部の外側に形成された保護部を備え、カラーリング剤を髪に塗布するときに用いるカラーリング用ケープにおいて、前記穴部を前記頭部から首に通し前記使用者に装着し、前記カラーリング剤が使用者の胴部に付着するのを防ぎ、及び／または、前記穴部を前記頭部に装着して前記保護部をカラーリング剤の付着した前記髪に貼着して前記頭部を覆いカラーリング剤を保温することを特徴とする。そのため、一つの用品で、カラーリングの際には上半身（胴部）への汚れを防止し、カラーリング後は髪部の保温が可能となる。また、粘着部材を用いなくとも頭部にカラーリング用ケープを貼着させて覆い、前記髪に付着した前記カラーリング剤を保温することができる。
【００２１】
請求項２に記載の発明は、前記カラーリング用ケープの、前記穴部を前記首から前記頭部に持ち上げて髪の毛の生え際に沿って保持することを特徴とする。前記穴部を髪の毛の生え際に沿って保持することで、顔部を覆ってしまうことを防止し、前記髪を確実に覆い、保温することができる。
【００２２】
請求項３に記載の発明は、前記穴部を略中央に備え、該穴部に向かって切れ込んだ凹部を前記保護部に少なくとも２つ備え、前記カラーリングの際に、前記使用者が両腕を持ち上げたとき、前記凹部が前記使用者の前記両腕近傍に配置されることを特徴とする。前記使用者が両腕を持ち上げたとき、前記凹部が前記使用者の前記両腕近傍に配置されることで、カラーリング等の際に両腕を持ち上げる必要がある時に、より出しやすくなる。
【００２３】
請求項４の発明は、前記保護部の先端につまみ部を備えることを特徴とする。前記保護部に該つまみ部を設けることでカラーリング用ケープをより持ち上げやすくすることができる。また、カラーリング用ケープを着用する際に、前後を見分けやすくする印ともなる。
【００２４】
請求項５の発明は、前記穴部が円状に形成され、該穴部の外縁に弾性部材を備えることを特徴とする。前記穴部が円状に形成され、該穴部の外縁に弾性部材を備えることで、カラーリングの際には首にカラーリング用ケープを固定して装着でき、前記カラーリング後、前記穴部を首から前記頭部に移動させる際には、垂れ下っている髪を上部のカラーリング用ケープの内側にまとめやすくすることができる。
【００２５】
請求項６の発明は、前記保護部の先端近傍に粘着部材を備えることを特徴とする。前記保護部の先端近傍に粘着部材を備えることで、前記使用者が、前記保護部が前記頭部を覆った際に、前記髪に貼着しなかった部分がある。該部分を、前記頭部を覆っている前記保護部に、より簡便に貼り付けることができる。
【００２６】
請求項７の発明は、前記保護部が保温層に基材層を裏打ちして形成され、前記保温層を前記カラーリング剤の付着した前記髪に貼着して前記頭部を覆いカラーリング剤を保温するので、カラーリング剤をいっそう効果的に保温することができる。
【００２７】
請求項８の発明は、前記保温層がアルミ箔で形成されるので、入手しやすい素材を用いてカラーリング剤をいっそう効果的に保温可能なカラーリング用ケープを提供することができる。
【００２８】
請求項９の発明は、前記基材層が不織布で形成されるので、入手しやすい素材を用いてカラーリング剤をいっそう効果的に保温可能なカラーリング用ケープを提供することができる。
【００２９】
請求項１０の発明は、前記基材層がプラスチックシートで形成されるので、入手しやすい素材を用いてカラーリング剤をいっそう効果的に保温可能なカラーリング用ケープを提供することができる。
【００３０】
請求項１１の発明は、前記保護部の先端に雄雌で一対となる掛止部を複数備え、前記穴部を挟んで対向する位置にそれぞれ雄の掛止部と雌の掛止部を備えるので、カラーリング剤を保温する際に、カラーリング用ケープで確実に頭部を覆うことができる。
【００３１】
請求項１２の発明は、記掛止部がメカニカルファスナーであるので、入手しやすい素材を用いて掛止部を構成することができる。
【００３２】
請求項１３に記載の発明は、穴部を頭部から首に通し使用者に装着し、カラーリング剤を前記使用者の髪に塗布した後、前記穴部を前記首から前記頭部に持ち上げ、さらに保護部をカラーリング剤の付着した前記髪に貼着して覆うことでカラーリング剤を保温する、カラーリング用ケープの使用方法である。この方法を用いることにより、一つの用品で、カラーリングの際には上半身（胴部）への汚れを防止し、カラーリング後は髪部の保温が可能となる。また、粘着部材を用いなくとも頭部にカラーリング用ケープを貼着させて覆い、前記髪に付着した前記カラーリング剤を保温することができる。
【図面の簡単な説明】
【００３３】
【図１】この発明の一例のカラーリング用ケープが収納されたカラーリングセットを示す図である。
【図２】（ａ）は、この発明のカラーリング用ケープの展開図、（ｂ）は、（ａ）のＸ―Ｘ矢視断面図である。
【図３】（ａ）〜（ｇ）はカラーリング用ケープを用いてカラーリングを行う手順を示す図である。
【図４】（ａ）は、シールの平面図、（ｂ）は、（ａ）のＺ−Ｚ矢視断面図である。
【図５】（ａ）は、カラーリング用ケープの凸部の拡大図、（ｂ）は、（ａ）のＹ−Ｙ矢視断面図、（ｃ）は、別の例を示す断面図である。
【図６】この発明のカラーリング用ケープの別の例を示す図であり、（ａ）はその斜視図、（ｂ）は（ａ）のＡ矢視底面図である。
【図７】図６のカラーリング用ケープの保護部の一部断面図である。
【図８】（ａ）〜（ｆ）は図６のカラーリング用ケープを用いてカラーリングを行う手順を示す図である。
【発明を実施するための形態】
【００３４】
以下、図面を参照しつつ、本発明の実施の形態について説明する。図１に示すように、カラーリング用ケープ１は折り畳まれ、シール１４、ボトル１３とともに専用の収納箱に収納されてカラーリングセット１０として販売される。
【００３５】
図２に示すように、カラーリング用ケープ１は、展開図で略花びら状に形成され、凹部を４か所、凸部を４か所備える。凹部３Ａ，３Ｂ，３Ｃ，３Ｄと凸部２Ａ，２Ｂ，２Ｃ，２Ｄとは交互に並ぶよう構成されている。凸部２Ａ，２Ｂ，２Ｃ，２Ｄは、カラーリング用ケープ１の外側に向かって円孤のように形成されている。凹部３Ａ，３Ｂ，３Ｃ，３Ｄはカラーリング用ケープ１の内側に向かって円孤のように形成されている。凹部３Ａ，３Ｂ，３Ｃ，３Ｄは図に示すよりも深く切り込まれていてもよい。（凹部３Ａ，３Ｂ，３Ｃ，３Ｄと凸部２Ａ，２Ｂ，２Ｃ，２Ｄは４つずつに限定するものではないし、大きさが異なっていてもよい。）
【００３６】
カラーリング用ケープ１はプラスチックフィルム、ビニールなど、可撓性の材質で形成されていると好適である。なお、カラーリング用ケープ１の厚みは、低密度ポリエチレン（ＬＤ−ＰＥ）で１０〜６０μｍまたは、高密度ポリエチレン（ＨＤ−ＰＥ）で１０〜６０μｍが好適である。そして、凸部２Ａ、２Ｃの先端近傍には、それぞれつまみ部Ｔ１、Ｔ２、Ｔ３、Ｔ４が二つずつ一体に形成されている。つまみ部Ｔ１，Ｔ２，Ｔ３，Ｔ４，は、凸部２Ａ，２Ｃの先端近傍に２つずつ延設され、つまみ部の先端が半円状に形成されている。（つまみ部は２つずつ延設しなければならないというわけではなく、設置場所も必ずしも凸部２Ａ，２Ｃでなくともよい。）凸部２Ａ、２Ｂ、２Ｃ、２Ｄの先端を頂点２ＡＴ、２ＢＴ、２ＣＴ、２ＤＴとする。また、凹部３Ａ、３Ｂ、３Ｃ、３Ｄの最も窪んだ位置を底点Ｊ１、Ｊ２、Ｊ３、Ｊ４とする。
【００３７】
そして頂点２ＡＴと頂点２ＣＴを結ぶ線を頂線Ｌ１、頂点２ＢＴと頂点２ＤＴを結ぶ線を頂線Ｌ２とする。また、底点Ｊ１とＪ３を結ぶ線を底線Ｂ１、底点Ｊ２と底点Ｊ４を結ぶ線を底線Ｂ２とする。この時、頂線Ｌ１と底線Ｂ１のなす角、頂線Ｌ１と底線Ｂ２のなす角、頂線Ｌ２と底線Ｂ１のなす角、頂線Ｌ２と底線Ｂ２のなす角は全てθ＝４５度である。これら頂線Ｌ１、頂線Ｌ２、底線Ｂ１、底線Ｂ２はカラーリング用ケープ１の中心で交わる。前記中心部Ｃを中心として、円形の穴部４が形成されている（なお、穴部４の中心が、中心部Ｃと同一でなくてもよい。また、穴部４を円形に限定するものではなく、多角形であってもよい）。
【００３８】
次に、穴部４の周りには、全周にわたってゴムなどの弾性部材を収納する折り返し部５が形成されている。（必ずしも弾性部材が穴部４の全周にわたっていなくともよい。また、折り返し部５を形成せず、ゴムを穴部４の縁部に縫い付けるようにしてもよい。）このとき、穴部４が伸縮可能なように穴部４の周縁にゴムを配置する。
【００３９】
カラーリング用ケープ１から穴部４を除いた部分が保護部Ｐである。保護部Ｐの大きさは、穴部４を人の首に装着した際に、人の上半身（胴部）を覆うことができる程度であると好適である。
【００４０】
折り返し部５は、先端部を折り返して袋状とし、その中に輪ゴムＲを収納する。折り返し部５の先端は、ヒートシールＨＳによって、閉じた形態となっている。穴部４の周りに弾性部材を取り付けるために、折り返し部５を形成する方法の他、ロックミシン等の方法によって、弾性部材を穴部４の周りに取り付けてもよい。また、穴部４は輪ゴムＲの収縮力によって、首の太さよりも、収縮して小さくなった状態となっていると好適である。
【００４１】
次に、カラーリングセット１０を用いて毛染め（カラーリング）を行う方法を説明する。まず、使用者は、穴部４を手で拡げながら頭部Ｈに通し、頭部Ｈ、顔、首へと移動させる。このときつまみ部Ｔ１，Ｔ２が着用者の前側（胸側）に来るように着用する。したがって、凸部２Ｃが着用者の背側となり、また、凸部２Ｂ、２Ｄが肩Ｓに支持されるようになる。（図３（ａ））
【００４２】
次に、ボトル１３に入ったクリームＣＲ（カラーリング剤）を髪ＨＲに塗る（図３（ｂ））。このとき、カラーリング用ケープ１には凹部３Ａ、３Ｂが形成されているので、両腕が凹部３Ａ、３Ｂから出せて、頭部ＨにクリームＣＲを塗りやすくなっている。また、つまみ部Ｔ１、Ｔ２があることにより、カラーリング材キャップ兼ケープの前後がわかりやすくなる。（また、前記つまみ部があることでカラーリング用ケープ１を持ち上げやすくすることにもなる。）
【００４３】
クリームＣＲを頭部Ｈに塗り終えたら、カラーリング用ケープ１の凸部２Ｂ、２Ｄを、手でつまみながらカラーリング用ケープ１の保護部Ｐを頭部Ｈに向けてめくり上げる（図３（ｃ））。そして穴部４を拡げながら、穴部４を首から上方に移動させ、髪ＨＲの生え際に沿うように配置する（図３（ｄ））。さらに、髪ＨＲをカラーリング用ケープ１の保護部Ｐの内側に収めさせ、頭部にあてるように纏めながら、凸部２Ｂと凸部２Ｄをこの順に、髪ＨＲにあてる。このとき、髪ＨＲにはクリームＣＲが塗布されているので凸部２Ｂと凸部２Ｄは、髪ＨＲに貼着する（図３（ｅ））。次に、凸部２Ｃ、２Ａをこの順に髪ＨＲにあてて、クリームＣＲを介して髪ＨＲに貼着する。
【００４４】
そして、凸部２Ａと凸部２Ｃを連結するようにシール１４を貼り付けて（図３（ｆ））、保護部Ｐで髪ＨＲを覆う（図３（ｇ））。図４（ａ）（ｂ）に示すようシール１４は、台紙１４Ａ、（形は円でも多角形でもよい。）シール部材１４Ｂで構成され、シール部材１４Ｂは四角形状に形成され、粘着層１４Ｂ２と、フィルム１４Ｂ１で構成される。シール部材１４Ｂは、台紙１４Ａに、剥離可能に貼り付いている。
【００４５】
図５（ａ）（ｂ）には本発明のカラーリング用ケープ１の凸部２Ａの実施の形態の変形例を示す。この例では、シール部１１４をカラーリング用ケープ１と一体に備える。くわしくは、凸部２Ａの先端近傍にシール部１１４を、貼着して備える。（シール部１１４は凸部２Ａ、２Ｃ、２Ｄに付着してもよい。）シール部１１４は、シール１１４Ｂを台紙１１４Ｃを介して凸部２Ａに貼着してなる。シール１１４Ｂは、フィルム１１４Ｂ１と粘着層１１４Ｂ２からなる。フィルム１１４Ｂ１は、短形のプラスチックフィルムからなるテープ状に形成され、先端は、１１４Ｄとなっている。フィルム１１４Ｂ１の下側には粘着層１１４Ｂ２を備える。そしてシール１１４Ｂを長手方向の略中央部で折り返して粘着層１１４Ｂ２同士を貼り合わせるようにする。使用するときは１１４Ｄをつまんで、１１４Ｂを拡げ、凸部２Ａと凸部２Ｃを連結するようにして貼り付ける。つまみ１１４Ｄが１１４Ｂ２を貼り合わせた部分からはみでる構成とすることにより、粘着層１１４Ｂ２同士を容易に剥離することができる。
【００４６】
シール部１１４は図５（ｃ）に示すように構成してもよい。すなわち、カラーリング用ケープ１の凸部２Ａの先端近傍に剥離紙付きシールを備える。凸部２Ａの先端近傍の表面にシール部２１４を備える。シール部２１４は剥離紙２１４Ａと粘着層２１４Ｂ２で構成されている。粘着層２１４Ｂ２から剥離紙２１４Ａを剥離し、剥離紙２１４Ａを凸部２Ｃに貼着することで、カラーリング用ケープ１同士を貼り付けることができる。
【００４７】
なお、穴部４から上方に、円筒状にカバーが延設されていていてもよい。このとき、上記円筒の上方の先端にそって折り返し部があり、折り返し部の内側に輪ゴム等弾性部材を備えてもよい。このような構成にすることで、服だけでなく首もカラーリング剤による汚れから守ることができる。
【００４８】
要するに、使用者の頭部Ｈを通すための穴部４と、穴部４の外側に形成された保護部Ｐを備えたカラーリング用ケープ１において、穴部４を頭部Ｈから首に通し使用者に装着し、カラーリング剤（クリームＣＲ）を前記使用者の髪HRに塗布した後、穴部４を首から頭部Ｈに持ち上げ、さらに保護部Ｐをカラーリング剤の付着した髪ＨＲに貼着して覆いカラーリング剤を保温できる。また、カラーリング用ケープ１の、穴部４を首から頭部Ｈに持ち上げて髪ＨＲの生え際に沿って保持できるようになっている。そして、穴部４を略中央に備え、穴部４に向かって切れ込んだ凹部を保護部Pに少なくとも２つ備え、カラーリングの際に、使用者が両腕を持ち上げたとき、凹部が使用者の両腕近傍に配置されている。そして、保護部Ｐの外縁につまみ部Ｔ１，Ｔ２，Ｔ３，Ｔ４を備え、穴部４が円状に形成され、穴部４の外縁に弾性部材（輪ゴムＲ）を備える。また、保護部Ｐの外縁近傍に粘着部材（シール部１１４）を備える。
【００４９】
図６（ａ），（ｂ）には、この発明のカラーリング用ケープの別の例を示す。この例のカラーリング用ケープ１´は、使用者の頭部を通すための穴部４´と、穴部４´の外側に形成された保護部Ｐ´を備える。また、保護部Ｐ´の先端に雄雌で一対となるメカニカルファスナー（掛止部）ＦＴ１，ＦＴ２を２組備える。メカニカルファスナーＦＴ１は雄タイプであり、先端が釣り針状に形成されている。一方、メカニカルファスナーＦＴ２は雌タイプであり、先端がループ状に形成されている。
【００５０】
メカニカルファスナーＦＴ１とメカニカルファスナーＦＴ２は、円状の穴部４´の中心に対して中心角が略９０度となる位置に隣接して設けられる。すなわち、雄のメカニカルファスナーＦＴ１の隣には雌のメカニカルファスナーＦＴ２が配置され、そのメカニカルファスナーＦＴ２の反対隣には、雄のメカニカルファスナーＦＴ１が配置され、さらにそのメカニカルファスナーＦＴ１の反対隣には、雌のメカニカルファスナーＦＴ２が配置される。
【００５１】
言い換えると、二対のメカニカルファスナーＦＴ１とメカニカルファスナーＦＴ２は、穴部４´を挟んで対向する位置（すなわち、円状の穴部４´の中心に対して線対称となる位置）に両者が係合可能に設けられる。
【００５２】
なお、保護部Ｐ´は、４つのパートを縫合部ＳＴで縫い合わせて形成されている。また、メカニカルファスナーＦＴ１とメカニカルファスナーＦＴ２は、その基端側を保護部Ｐ´の外縁部に縫い付けて取り付けられる。
【００５３】
穴部４´の周縁に沿って、弾性部材としてのゴムが縫い付けられている。ゴムは穴部４´を縮めた状態で縫い付けられている。
【００５４】
図７に示すように、保護部Ｐ´は保温層ＰＡに基材層ＰＢを裏打ちして形成される。保温層ＰＡはアルミ箔で形成され、基材層ＰＢは不織布で形成される。なお、保温層ＰＡは、アルミ箔に限定されるものではなく、保温性の高いものであればどのような材料を用いてもよい。
【００５５】
また、基材層ＰＢがプラスチックシートで形成されてもよいし、その他、保温層ＰＡを裏打ち可能な材料であればどのようなものであってもよい。また、保護部Ｐ´を保温層ＰＡに基材層ＰＢを裏打ちして形成することに限定されず、樹脂フィルムによる１つの層で形成してもよい。
【００５６】
次に、カラーリング用ケープ１´を用いてカラーリングを行う方法について説明する。まず、使用者は、穴部４´を拡げながら、頭部Ｈに通す。そして、穴部４´を頭部Ｈから、顔、首へと下方に移動させて肩Ｓにかかるように配置する（図８（ａ））。このとき、保護部Ｐ´の保温層ＰＡは外側面となるように（すなわち、基材層ＰＢが内側面になるように）配置する。
【００５７】
次に、ボトル１３に入ったクリームＣＲ（カラーリング剤）を手などで髪ＨＲに塗る（図８（ｂ））。このとき、カラーリング用ケープ１´が肩Sや上半身を覆っているので、クリームＣＲが飛び散っても服を汚すことがない。
【００５８】
クリームＣＲを頭部Ｈに塗り終えたら、カラーリング用ケープ１´の下縁部を手でつまんで上方にめくり上げる。このとき、頭部Ｈに保温層ＰＡが接するようにめくり上げる。そして穴部４を伸ばしながら首から上方に移動させ、髪ＨＲの生え際に沿うように配置する（図８（ｃ））。
【００５９】
さらに、髪ＨＲをまとめるようにしてカラーリング用ケープ１´の内側に収めながら、保温層ＰＡを頭部Ｈにあてるようにする。このとき、髪ＨＲにはクリームＣＲが塗布されているので保温層ＰＡが髪ＨＲに貼着する（図８（ｄ））。次に、両手でメカニカルファスナーＦＴ１，ＦＴ２を係合させて、カラーリング用ケープ１´を頭部Hで留めて髪ＨＲ全体を包み込む（図８（ｅ））。
【００６０】
この状態を一定時間保持することで、クリームＣＲが保温されて髪ＨＲに定着する（図８（ｆ））。特に、保温層ＰＡがアルミ箔であるので、保温効果が大きい。
【００６１】
一定時間経過したら、そのまま、カラーリング用ケープ１´を上方に移動させる。そして、穴部４´を頭Ｈから抜いて、カラーリング用ケープ１´を頭部Ｈからとり外す。
【００６２】
なお、掛止部はメカニカルファスナーＦＴ１，ＦＴ２に限定されるものではなく、例えば、ホックであってもよいし、一方にボタン、他方にボタンホールを形成して掛け止めるように構成してもよい。
【符号の説明】
【００６３】
１，１´  カラーリング用ケープ
２Ａ，２Ｂ，２Ｃ，２Ｄ  凸部
３Ａ，３Ｂ，３Ｃ，３Ｄ  凹部
４，４´  穴部
ＣＲ  クリーム
ＦＴ１，ＦＴ２  メカニカルファスナー（掛止部）
Ｈ  頭部
ＨＲ  髪
Ｐ，Ｐ´  保護部
ＰＡ  保温層
ＰＢ  基材層
Ｒ  輪ゴム
Ｔ１，Ｔ２，Ｔ３，Ｔ４  つまみ部
１１４  シール部
【図１】
2012179351.tif 000003
【図２】
2012179351.tif 000004
【図３】
2012179351.tif 000005
【図４】
2012179351.tif 000006
【図５】
2012179351.tif 000007
【図６】
2012179351.tif 000008
【図７】
2012179351.tif 000009
【図８】
2012179351.tif 000010